(57)【要約】      （修正有）【課題】電子カードを保持すべくコンパクトな金属挿入ハウジングを有するカードコネクタベースを提供する。【解決手段】カードコネクタベース１０は、プリント回路基板上に取り付けられ、金属挿入ハウジングと１対のフックアセンブリ１５とカードトレイ１７とを有する。金属挿入ハウジングは、金属基板１１と絶縁体とを有する。絶縁体は、インサート成形プロセスによって金属基板１１上にしっかりと取り付けられている。フックアセンブリ１５は、金属挿入ハウジング上に取り付けられている。カードトレイ１７は、金属挿入ハウジング内に摺動可能に着脱可能に取り付けられている。板金で形成される金属基板１１は、薄く、引張強度及び圧縮強度などの優れた構造強度を有するため、金属基板１１を備える金属挿入ハウジングは、従来の絶縁ハウジングに比べてよりコンパクトで構造上より堅固である。【選択図】図２
0003145897.tif 000002
【実用新案登録請求の範囲】
【請求項１】
金属挿入ハウジングと、フックアセンブリと、カードトレイと、を有するカードコネクタベースであって、
前記金属挿入ハウジングは、金属基板と、絶縁体と、を有し、
前記金属基盤は、板金で形成される金属基板であって、上部と、底部と、外縁部と、開口部と、前記外縁部上に形成され且つ前記外縁部より下方に突出する複数の半田タブと、前記外縁部上に形成され且つ前記外縁部から上方に突出する複数の取付けバーとを有し、
前記絶縁体は、インサート成形プロセスによって前記金属基板上にしっかりと取り付けられる絶縁体であって、上部と、底部と、２つの端部とを有する中間部と、前記中間部の前記端部上に垂直に形成され且つそれぞれ前記中間部の前記端部より突出する２つの対向する側面部であって、各側面部が、上部表面と、底部表面と、内側表面とを有し、さらに、前記内側表面上に形成され且つ前記内側表面より内側に向けて横方向に突出する規制片であって、前記金属基板の前記上部から離れて前記規制片と前記金属基板との間にレールスロットを画成する規制片と、前記側面部を貫通して横方向に画成される開口スロットと、前記インサート形成プロセスによって前記底部表面上に形成され且つ前記取付けバーの少なくとも１つをしっかりと覆って保持する取付け部とをも有する側面部と、を有し、
前記フックアセンブリは、前記絶縁体上に取り付けられ、それぞれ前記側面部近傍に配置される１対のフックアセンブリであるとともに、各フックアセンブリが、前記絶縁体上に取り付けられるフックであって、前記絶縁体の前記中間部上に取り付けられる取付け部と、前記取付け部上に形成され且つ前記取付け部より垂直に突出する弾性部と、角度をなし、前記弾性部上に形成され且つ前記弾性部より突出しており、前記開口スロットの一方を通過して延びるフック部とを有するフックと、前記フックの前記フック部を覆うシースと、を有し、
前記カードトレイは、前記金属挿入ハウジング内に摺動可能に着脱可能に取り付けられ、前記絶縁体の前記中間部に選択的に当接するカードトレイであって、上部と、底部と、外側端部と、内側端部と、２つの対向する側面とを有し、さらに、それぞれ前記側面上に形成され且つそれぞれ前記レールスロット内に摺動可能に取り付けられる２つのスライドと、それぞれ前記スライド内に横方向に画成され且つそれぞれ前記フックの前記フック部に選択的に係合される２つの位置決めノッチと、を有することを特徴とする、
カードコネクタベース。
【請求項２】
各シースがプラスチックからなる、請求項１に記載のカードコネクタベース。
【請求項３】
各フックがステンレス鋼からなる、請求項２に記載のカードコネクタベース。
【請求項４】
前記絶縁体の前記中間部が、前記中間部の前記上部上に形成され且つ前記中間部の前記上部より上に突出する２つのフック台もさらに有し、
各フックの前記取付け部が、前記取付け部を貫通して画成され且つ前記フック台の一方を取り囲んで取り付けられる取付けスロットを有する、
請求項３に記載のカードコネクタベース。
【請求項５】
前記絶縁体の前記中間部が、前記中間部の前記底部内に画成される２つの取付けスリットもさらに有し、
スイッチが、前記絶縁体上に取り付けられ、且つ一方の取付けスリット内に取り付けられる固定接点と、弾性があって他方の取付けスリット内に取り付けられて前記固定接点に選択的に接触する可動接点とを有する、
請求項４に記載のカードコネクタベース。
【請求項６】
前記金属基板が、前記金属基板を貫通して画成される複数の半田孔もさらに有する、請求項５に記載のカードコネクタベース。
【請求項７】
回路と、複数の位置決め孔とを有するプリント回路基板（ＰＣＢ）と、
板金で形成される金属基板であって、上部と、底部と、外縁部と、金属基板を貫通して画成される開口部と、前記外縁部上に形成され且つ前記外縁部より下方に突出してそれぞれ前記ＰＣＢ内の前記位置決め孔内に半田付けされる複数の半田タブと、前記外縁部上に形成され且つ前記外縁部より上方に突出する複数の取付けバーとを有する、金属基板と、
インサート成形プロセスによって前記金属基板上にしっかりと取り付けられる絶縁体であって、上部と、底部と、２つの端部とを有する中間部と、前記中間部の前記端部上に垂直に形成され且つそれぞれ前記中間部の前記端部より突出する２つの対向する側面部であって、各側面部が、上部表面と、底部表面と、内側表面とを有し、さらに、前記内側表面上に形成され且つ前記内側表面より内側に向けて横方向に突出する規制片であって、前記金属基板の前記上部から離れて前記規制片と前記金属基板との間にレールスロットを画成する規制片と、前記側面部を貫通して横方向に画成される開口スロットと、前記インサート成形プロセスによって前記底部表面上に形成され且つ前記取付けバーの少なくとも１つをしっかりと覆って保持する取付け部とをも有する側面部と、を有する、絶縁体と、
を有する金属挿入ハウジングと、
前記絶縁体上に取り付けられ、それぞれ前記側面部近傍に配置される１対のフックアセンブリであって、各フックアセンブリが、前記絶縁体上に取り付けられるフックであって、前記絶縁体の前記中間部上に取り付けられる取付け部と、前記取付け部上に形成され且つ前記取付け部より垂直に突出する弾性部と、角度をなし、前記弾性部上に形成され且つ前記弾性部より突出しており、前記開口スロットの一方を通過して延びるフック部とを有するフックと、前記フックの前記フック部を覆うシースと、を有する、フックアセンブリと、
前記金属挿入ハウジング内に摺動可能に着脱可能に取り付けられ、前記絶縁体の前記中間部に選択的に当接するカードトレイであって、上部と、底部と、外側端部と、内側端部と、２つの対向する側面とを有し、さらに、前記カードトレイの前記底部を貫通して画成される底部開口部と、前記カードトレイ内に画成され且つ前記底部開口部と連通する空隙と、それぞれ前記側面上に形成され且つそれぞれ前記レールスロット内に摺動可能に取り付けられる２つのスライドと、それぞれ前記スライド内に横方向に画成され且つそれぞれ前記フックの前記フック部に選択的に係合される２つの位置決めノッチとをも有する、カードトレイと、
前記金属挿入ハウジングの前記金属基板の前記開口部内に取り付けられる端子アセンブリであって、前記金属基板内の前記開口部内に取り付けられ、前記ＰＣＢ上に半田付けされる複数の端子であって、各端子が、接触部を有する複数の端子と、前記金属基板の前記開口部内に取り付けられるブラケットであって、前記ブラケットを貫通して画成され、且つ前記端子の前記接触部がそれぞれ通過して延びる複数の位置決めスロットを有する、ブラケットと、を有する端子アセンブリと、
を備えるカードコネクタアセンブリ。
【考案の詳細な説明】
【技術分野】
【０００１】
本考案は、コネクタベースに関し、より具体的には電子カードを保持するコンパクトな金属挿入ハウジングを有するカードコネクタベースに関する。
【背景技術】
【０００２】
従来のカードコネクタは、プリント回路基板（ＰＣＢ）上に取り付けられ、電子カードを受容してもよく、絶縁ハウジングと複数の端子とを有する。前記端子は、インサート成形技術によって前記絶縁ハウジング内にしっかりと取り付けられる。しかしながら、前記絶縁ハウジング上にいかなる亀裂も生じることなく変形するように、前記端子を適切な位置にしっかりと保持したまま前記端子が電子カードに弾性的に接触するのを可能にするには、前記絶縁ハウジングが、相当な寸法、特に充分な厚さを有する必要がある。
【考案の開示】
【考案が解決しようとする課題】
【０００３】
一方、携帯電話などの電子機器はますます小型化が進んでおり、このようにコンパクトな電子機器の内部空隙は、前述したように厚みのある絶縁ハウジングを含むカードコネクタを収容し得ない。
【０００４】
この欠点を克服するため、本考案は、前述の問題点を緩和又は回避するカードコネクタベースを提供する。
【課題を解決するための手段】
【０００５】
本考案の主な目的は、電子カードを保持すべくコンパクトな金属挿入ハウジングを有するカードコネクタベースを提供することである。
【０００６】
本考案によるカードコネクタベースは、プリント回路基板上に取り付けられ、且つ金属挿入ハウジングと、１対のフックアセンブリと、カードトレイとを有する。前記金属挿入ハウジングは、金属基板と絶縁体とを有する。前記絶縁体は、インサート成形プロセスによって前記金属基板上にしっかりと取り付けられる。前記フックアセンブリは、前記金属挿入ハウジング上に取り付けられる。前記カードトレイは、前記金属挿入ハウジング内に摺動可能に着脱可能に取り付けられる。
【考案の効果】
【０００７】
板金で形成される金属基板は、薄く、引張強度及び圧縮強度などの優れた構造強度を有しているため、金属基板を備える金属挿入ハウジングは、従来のカードコネクタの絶縁ハウジングに比べてよりコンパクトで構造上より堅固であるといえる。従って、金属基板を備えるカードコネクタアセンブリは、非常にコンパクトであり、携帯電話などの携帯用電子機器に容易に適合させることができる。
【考案を実施するための最良の形態】
【０００８】
図１、２及び７を参照すると、本考案によるカードコネクタアセンブリ（１）は、プリント回路基板（ＰＣＢ）（Ｐ）と、カードコネクタベース（１０）と、端子アセンブリ（２０）とを備えている。
【０００９】
ＰＣＢ（Ｐ）は、回路（Ｗ）と複数の位置決め孔（ｈ）とを有している。
【００１０】
カードコネクタベース（１０）は、加入者識別モジュール（ＳＩＭ）カードなどの電子カードを受容してもよく、且つ金属挿入ハウジングと、１対のフックアセンブリ（１５）と、スイッチ（１９）と、カードトレイ（１７）とを備えている。
【００１１】
前記金属挿入ハウジングは、金属基板（１１）と絶縁体（１３）とを有している。
【００１２】
さらに図３Ａ及び３Ｂを参照すると、金属基板（１１）は、長方形であってもよく、スタンピングプロセスによって板金で形成されている。金属基板（１１）は、上部（１１１）と、底部（１１３）と、外縁部と、開口部（１１５）と、複数の半田タブ（１１７）と、複数の取付けバー（１１９）とを有しており、複数の半田孔（１１２）をさらに有してもよい。開口部（１１５）は、金属基板（１１）を貫通して画成されている。半田タブ（１１７）は、Ｌ字型をしており、前記外縁部上に形成され且つ前記外縁部より下方に突出してＰＣＢ（Ｐ）内の位置決め孔（ｈ）内にそれぞれ半田付けされている。取付けバー（１１９）は、Ｕ字型をしており、前記外縁部上に形成され且つ前記外縁部より下方に突出しており、各取付けバー（１１９）は、外縁部に接続された２つの端部を有している。溶けた半田が半田孔（１１２）を流れてＰＣＢ（Ｐ）上の金属基板（１１）をしっかりと取付けるように、半田孔（１１２）は、金属基板（１１）を貫通して画成され且つ少なくとも１つの列状に配置されている。
【００１３】
さらに図４を参照すると、絶縁体（１３）は、プラスチックからなり、Ｕ字型をしており、インサート成形プロセスによって金属基板（１１）の上部（１１１）上にしっかりと取り付けられ、且つ中間部（１３１）と２つの対向する側面部（１３３、１３５）とを有している。
【００１４】
中間部（１３１）は、金属基板（１１）の上部（１１１）上にしっかりと取り付けられ、且つ上部と、底部と、２つの端部と、２つのフック台（１３１１、１３１３）とを有しており、２つの取付スリット（１３１５、１３１７）をさらに有してもよい。フック台（１３１１、１３１３）は、中間部（１３１）の前記上部上に形成され且つ前記上部より上に突出している。取付スリット（１３１５、１３１７）は、Ｌ字型をしており、中間部（１３１）の前記底部内に画成されている。
【００１５】
側面部（１３３、１３５）は、中間部（１３１）の前記端部上に垂直に形成され且つそれぞれ前記端部より突出して金属基板（１１）の上部（１１１）上にしっかりと取り付けられている。各側面部（１３３、１３５）は、上部表面（１３３１、１３５１）と、底部表面（１３３５、１３５５）と、内側表面（１３３３、１３５３）と、規制片（１３３７、１３５７）と、開口スロット（１３３９、１３５９）と、取付部（１３３２、１３５２）とを有している。規制片（１３３７、１３５７）は、内側表面（１３３３、１３５３）上に形成され且つ前記内側表面より内側に向けて横方向に突出して金属基板（１１）の上部（１１１）から離れて規制片（１３３７、１３５７）と金属基板（１１）の上部との間にレールスロット（１３７）を画成している。開口スロット（１３３９、１３５９）は、側面部（１３３、１３５）を貫通して横方向に画成されている。取付部（１３３２、１３５２）は、インサート成形プロセスによって底部表面（１３３５、１３５５）上に形成され且つ取付けバー（１１９）の少なくとも１つをしっかりと覆って保持している。
【００１６】
さらに図６Ａ及び６Ｂを参照すると、フックアセンブリ（１５）は、絶縁体（１３）上に取り付けられてそれぞれ側面部（１３３、１３５）近傍に配置されており、各フックアセンブリ（１５）は、フック（１５１）とシース（１５３）とを有している。
【００１７】
フック（１５１）は、ステンレス鋼などの金属からなり、絶縁体（１３）上に取り付けられており、且つ取付部（１５１１）と、弾性部（１５１３）と、フック部（１５１７）とを有している。取付部（１５１１）は、絶縁体（１３）の中間部（１３１）上に取り付けられており、且つ取付部（１５１１）を貫通して画成され且つフック台（１３１１、１３１３）の一方を取り囲んで取り付けられる取付スロット（１５１５）を有している。弾性部（１５１３）は、Ｕ字型をしており、取付部（１５１１）上に形成され且つ前記取付部より垂直に突出している。フック部（１５１７）は、角度をなし、弾性部（１５１３）上に形成され且つ前記弾性部より突出しており、開口スロット（１３３９、１３５９）の一方を通過して延びている。
【００１８】
シース（１５３）は、角度をなし、プラスチック又はゴムからなり、オーバーモールドプロセスによってフック（１５１）のフック部（１５１７）を覆っており、且つ硬さと嵌込孔（１５３１）とを有している。嵌込孔（１５３１）は、シース（１５３）内に画成されており、フック部（１５１７）を取り囲んで取り付けられている。
【００１９】
さらに図５を参照すると、スイッチ（１９）が絶縁体（１３）の中間部（１３１）の前記底部内に取り付けられ、ＰＣＢ（Ｐ）上の回路（Ｗ）に電気的に接続されており、且つ固定接点（１９３）と可動接点（１９１）とを有している。固定接点（１９３）は、一方の取付スリット（１３１７）内に取り付けられている。可動接点（１９１）は、弾性があり且つ長手方向にあり、他方の取付スリット（１３１５）内に取り付けられており、固定接点（１９３）に選択的に接触してＰＣＢ（Ｐ）の回路（Ｗ）を起動させる。
【００２０】
カードトレイ（１７）は、前記金属挿入ハウジング内に摺動可能に着脱可能に取り付けられており、絶縁体（１３）の中間部（１３１）に選択的に当接し、可動接点（１９１）を選択的に押圧して曲げて固定接点（１９３）に接触するものであって、電子カードを受容して担持してもよい。カードトレイ（１７）は、上部（１７１）と、底部（１７２）と、外側端部（１７５）と、内側端部（１７６）と、２つの対向する側面（１７３、１７４）と、底部開口部（１７８）と、空隙（１７７）と、２つのスライド（１７３１、１７４１）と、２つの位置決めノッチ（１７３３、１７４３）とを有している。
【００２１】
底部開口部（１７８）は、底部（１７２）を貫通して画成されている。
【００２２】
空隙（１７７）は、カードトレイ（１７）内に画成され且つ底部開口部（１７８）と連通しており、電子カードを受容してもよい。
【００２３】
スライド（１７３１、１７４１）は、長手方向にあり、それぞれ側面（１７３、１７４）上に形成され且つそれぞれ絶縁体（１３）の規制片（１３３７、１３５７）と金属基板（１１）との間のレールスロット（１３７）内に摺動可能に取り付けられている。
【００２４】
位置決めノッチ（１７３３、１７３４）は、三角形をなしており、それぞれスライド（１７３１、１７４１）内に横方向に画成され且つそれぞれフック（１５）のフック部（１５１７）に選択的に係合されて前記金属挿入ハウジング内にカードトレイ（１７）を保持する。
【００２５】
端子アセンブリ（２０）は、金属挿入ハウジングの金属基板（１１）の開口部（１１５）内に取り付けられており、且つ複数の端子（２３）とブラケット（２１）とを有している。
【００２６】
端子（２３）は、金属基板（１１）内の開口部（１１５）内に取り付けられ、ＰＣＢ（Ｐ）上に半田付けされており、各端子（２３）は、接触部（２３１）と半田部（２３３）とを有している。接触部（２３１）は、弾性があり、電子カード上の一接点と接触してもよい。半田部（２３３）は、接触部（２３１）上に形成されてＰＣＢ（Ｐ）上に半田付けされている。
【００２７】
ブラケット（２１）は、金属基板（１１）の開口部（１１５）内に取り付けられ、端子（２３）を押圧保持しており、且つ複数の位置決めスロット（２１１）を有している。位置決めスロット（２１１）は、ブラケット（２１）を貫通して画成されており、端子（２３）の接触部（２３１）がそれぞれ位置決めスロット（２１１）を通過して延びるのを可能にしている。
【図面の簡単な説明】
【００２８】
【図１】カードコネクタベースを有する本考案によるカードコネクタアセンブリの上面斜視図である。
【図２】図１のカードコネクタベースの一部の分解上面斜視図である。
【図３Ａ】図２のカードコネクタベースの金属挿入ハウジングの金属基板を示す底面斜視図である。
【図３Ｂ】図３Ａのカードコネクタベースの金属基板が半田孔をさらに有する上面斜視図である。
【図４】図２のカードコネクタベースの金属挿入ハウジングの絶縁体を示す底面斜視図である。
【図５】図２のカードコネクタベースのスイッチの底面斜視図である。
【図６Ａ】前記カードコネクタベースのフックアセンブリの上面斜視図である。
【図６Ｂ】図６Ａのフックアセンブリを示す分解底面斜視図である。
【図７】図１のカードコネクタベースを示す分解上面斜視図である。
【図１】
0003145897.tif 000003
【図２】
0003145897.tif 000004
【図３Ａ】
0003145897.tif 000005
【図３Ｂ】
0003145897.tif 000006
【図４】
0003145897.tif 000007
【図５】
0003145897.tif 000008
【図６Ａ】
0003145897.tif 000009
【図６Ｂ】
0003145897.tif 000010
【図７】
0003145897.tif 000011